(57)【要約】【課題】電子メールによる情報提供の許諾を容易に取得し、許諾した端末を登録する。【解決手段】登録されたユーザ端末１０−１にメール配信部２１から送信する電子メールに、この電子メールに掲載された情報を転送する場合に指定する転送指定領域を設けておき、転送指定領域が指定された場合に、情報画面送信部２２から転送先に関する情報を入力するための端末情報入力領域が設けられた情報画面をユーザ端末１０−１に送信する。ユーザ端末１０−１にて転送先に関する情報が端末情報入力領域に入力されると、メール配信部２１から、ユーザ端末１０−１に送信された電子メールに掲載された情報が掲載されるとともに、情報配信部２０からの電子メールによる情報提供の許諾を指定するための許諾指定領域が設けられた電子メールを転送先となるユーザ端末に送信する。転送先のユーザ端末において許諾指定領域にて許諾が指定された場合このユーザ端末を登録する。【選択図】図１
2005050277.tif 000002
【特許請求の範囲】
【請求項１】
通信回線に接続可能な複数の端末と、通信回線に接続可能に構成され、前記複数の端末のうち予め登録された端末に対して電子メールにより情報提供を行う情報提供手段とを有し、前記情報提供手段から前記電子メールにより情報提供される端末を登録する情報提供登録システムであって、
前記情報提供手段は、
前記予め登録された端末に対して、提供される情報が掲載されるとともに、当該情報提供手段からの情報提供を未登録の端末に紹介する場合に指定する紹介指定領域が設けられた電子メールを作成、送信するメール送信手段と、
前記端末にて前記紹介指定領域が指定された場合に、当該端末に対して、前記未登録の端末に関する情報を入力するための端末情報入力領域が設けられた情報画面を送信する情報画面管理手段とを有し、
前記メール送信手段は、前記端末情報入力領域に情報が入力された未登録の端末に対して、前記端末情報入力領域に情報を入力した端末を送信元とし、当該メール送信手段からの電子メールによる情報提供の許諾を指定するための許諾指定領域が設けられた電子メールを送信し、
前記未登録の端末にて前記許諾指定領域を用いて電子メールによる情報提供が許諾された場合に、該未登録の端末を、電子メールにより情報提供される端末として登録する情報登録手段を有することを特徴とする情報提供登録システム。
【請求項２】
請求項１に記載の情報提供登録システムにおいて、
前記情報提供手段は、前記予め登録された第１の端末の電子メールアドレスから生成された第１の検査情報と、前記第１の端末の電子メールアドレスまたは該電子メールアドレスを特定可能な情報とを、前記第１の端末に送信する電子メールに含まれる前記紹介指定領域に埋め込んでおき、前記第１の端末における前記紹介指定領域の指定を、前記第１の検査情報と前記第１の電子メールアドレスとを用いて認証することを特徴とする情報提供登録システム。
【請求項３】
請求項１または請求項２に記載の情報提供登録システムにおいて、
前記情報提供手段は、前記端末情報入力領域に情報が入力された第２の端末の電子メールアドレスから生成された第２の検査情報と、前記第２の端末の電子メールアドレスまたは該電子メールアドレスを特定可能な情報とを、前記許諾指定領域に埋め込んでおき、第２の端末における前記許諾指定領域の指定を、前記第２の検査情報と前記第２の端末の電子メールアドレスとを用いて認証することを特徴とする情報提供登録システム。
【請求項４】
通信回線を介して端末に電子メールを送信するメール送信手段と、該メール送信手段から送信された電子メールを用いての前記端末からのデータ送信を認証する情報画面管理手段とを有してなる認証システムであって、
前記メール送信手段は、前記端末のメールアドレスを構成する文字列から所定のロジックに基づいて検査情報を生成し、前記端末からのデータの送信先ＵＲＬと前記メールアドレスまたは該メールアドレスを特定可能な情報と前記検査情報とを含んだ情報を、前記端末における所定の操作によりＨＴＴＰプロトコルにてデータを送信する機能領域を設けたＨＴＭＬ形式のメールを生成して前記端末に送信するとともに、前記メールアドレスと検査情報と送信先のＵＲＬ情報とを互いに対応づけて記憶し、
前記情報画面管理手段は、前記端末から送信されたＨＴＴＰプロトコルによるデータを受信し、受信したデータから前記メールアドレスまたは該メールアドレスを特定可能な情報及び検査情報を抽出し、受信したメールアドレスまたは該メールアドレスを特定可能な情報によって特定されるメールアドレスから前記ロジックに基づいて検査情報を生成し、生成した検査情報と受信した検査情報とを比較、または、受信した検査情報と受信したメールアドレスまたは該メールアドレスを特定可能な情報によって特定されるメールアドレスと対応づけて前記メール送信手段にて記憶された検査情報とを比較することにより、前記端末からのデータ送信を認証することを特徴とする認証システム。
【発明の詳細な説明】
【技術分野】
【０００１】
本発明は、電子メールにより情報提供される端末を登録する情報提供登録システムに関する。
【背景技術】
【０００２】
近年、情報化社会の進展に伴い、インターネットや公衆電話網を介して情報を提供する様々なサービスが行われている。このようなサービスにおいては、例えば、情報を提供する情報提供手段によって運営されるサイトに対して、インターネットに接続可能な端末からアクセスが行われると、情報提供手段から提供される情報が掲載された情報画面がアクセス元となる端末に送信され、それにより、該端末の利用者は所望の情報を得ることができる。ここで、情報提供手段においては、例えば、広告情報を提供する場合、情報提供手段によって運営されるサイトにアクセスしてきた端末以外にも広告情報を提供することができれば、広告情報の提供によってさらなる大きな効果を得ることができる。
【０００３】
そこで、情報提供手段において、サイトにアクセスしてきた端末に対して提供される情報画面に、該情報画面に掲載された情報のインターネットに接続可能な他の端末への転送を指定するための領域を設けておき、この領域にて他の端末に情報を転送する旨が指定された場合に、他の端末に関する情報を入力するための領域が設けられた情報画面を送信し、その後、この情報画面に他の端末に関する情報が入力された場合に、他の端末に対して、指定された情報が掲載された電子メールを送信する技術が考えられている（例えば、特許文献１参照。）。この技術を用いた場合、情報提供手段においては、サイトにアクセスしてきた端末以外にも情報を提供することができ、その情報が広告情報である場合は、広告情報によるさらなる大きな効果を得ることができる。
【０００４】
ところで、情報提供手段からの電子メールによる広告情報の提供においては、法律上、広告情報の提供先にて情報提供手段からの電子メールによる広告情報の提供を許諾していなければ行うことができない。情報の提供先にて情報の提供を許諾する１つの方法として、情報提供手段からの情報の提供を受ける端末の利用者が、該利用者等に関する情報を情報提供手段に登録する際に、情報提供手段からの情報の提供を予め許諾しておき、その後、情報提供手段からこの利用者の端末に対して電子メールによって情報を提供する技術がある（例えば、特許文献２参照。）。
【特許文献１】特開２００２−２５１３５４号公報
【特許文献２】再表０１／６３５０６号公報
【発明の開示】
【発明が解決しようとする課題】
【０００５】
しかしながら、上述したように、情報提供手段から提供される情報画面に、該情報画面に掲載された情報のインターネットに接続可能な他の端末への転送を指定するための領域を設けておき、この領域にて他の端末に情報を転送する旨が指定された場合に、他の端末に関する情報を入力するための領域が設けられた情報画面を送信し、その後、この情報画面に他の端末に関する情報が入力された場合に、他の端末に対して、指定された情報が掲載された電子メールを送信するものにおいては、このように情報の転送が指定された場合は、情報の転送先の利用者が電子メールによる情報の提供を予め許諾しているかどうかに限らず、情報の転送を指定した端末を送信元とした電子メールによって情報を提供することができるが、情報の転送が指定されることなく情報提供手段から電子メールによって情報を提供することは、情報の提供先の利用者が電子メールによる情報の提供を予め許諾していなければできない。ここで、電子メールによる情報の提供を許諾するためには、例えば、電子メールによる情報の提供を許諾するための情報画面を情報提供手段から端末に送信し、端末の利用者がこの情報画面にて電子メールによる情報の提供を許諾する旨を入力したり、端末の利用者に対して、情報の提供の許諾を申請するための用紙を配布し、端末の利用者がこの用紙に電子メールによる情報の提供を許諾する旨を記入し、用紙を回収したりすること等が考えられるが、いずれの場合も、情報提供手段において情報の提供の許諾を受けるために手間と時間がかかってしまうとともに、端末の利用者側にとっても情報の提供を許諾するために手間がかかってしまうという問題点がある。
【０００６】
また、情報の提供の許諾を受け付ける際、悪意を持った人間が、送信データを改竄して、他人の電子メールアドレスを入力することにより、本人が知らないうちに情報の提供を許諾した状態になってしまっているという問題点がある。
【０００７】
本発明は、上述したような従来の技術が有する問題点に鑑みてなされたものであって、電子メールによる情報提供の許諾を手間をかけることなく取得し、許諾した端末を登録することができるとともに、登録の手続のセキュリティ性を向上させることができる情報提供登録システムを提供することを目的とする。
【課題を解決するための手段】
【０００８】
上記目的を達成するために本発明は、
通信回線に接続可能な複数の端末と、通信回線に接続可能に構成され、前記複数の端末のうち予め登録された端末に対して電子メールにより情報提供を行う情報提供手段とを有し、前記情報提供手段から前記電子メールにより情報提供される端末を登録する情報提供登録システムであって、
前記情報提供手段は、
前記予め登録された端末に対して、提供される情報が掲載されるとともに、未登録の端末に紹介する場合に指定する紹介指定領域が設けられた電子メールを作成、送信するメール送信手段と、
前記端末にて前記紹介指定領域が指定された場合に、当該端末に対して、前記未登録の端末に関する情報を入力するための端末情報入力領域が設けられた情報画面を送信する情報画面管理手段とを有し、
前記メール送信手段は、前記端末情報入力領域に情報が入力された未登録の端末に対して、前記端末情報入力領域に情報を入力した端末を送信元とし、当該メール送信手段からの電子メールによる情報提供の許諾を指定するための許諾指定領域が設けられた電子メールを送信し、
前記未登録の端末にて前記許諾指定領域を用いて電子メールによる情報提供が許諾された場合に、該未登録の端末を、電子メールにより情報提供される端末として登録する情報登録手段を有することを特徴とする。
【０００９】
また、前記情報提供手段は、前記予め登録された第１の端末の電子メールアドレスから生成された第１の検査情報と、前記第１の端末の電子メールアドレスまたは該電子メールアドレスを特定可能な情報とを、前記第１の端末に送信する電子メールに含まれる前記紹介指定領域に埋め込んでおき、前記第１の端末における前記紹介指定領域の指定を、前記第１の検査情報と前記第１の電子メールアドレスとを用いて認証することを特徴とする。
【００１０】
また、前記情報提供手段は、前記端末情報入力領域に情報が入力された第２の端末の電子メールアドレスから生成された第２の検査情報と、前記第２の端末の電子メールアドレスまたは該電子メールアドレスを特定可能な情報とを、前記許諾指定領域に埋め込んでおき、第２の端末における前記許諾指定領域の指定を、前記第２の検査情報と前記第２の端末の電子メールアドレスとを用いて認証することを特徴とする。
【００１１】
また、通信回線を介して端末に電子メールを送信するメール送信手段と、該メール送信手段から送信された電子メールを用いての前記端末からのデータ送信を認証する情報画面管理手段とを有してなる認証システムであって、
前記メール送信手段は、前記端末のメールアドレスを構成する文字列から所定のロジックに基づいて検査情報を生成し、前記端末からのデータの送信先ＵＲＬと前記メールアドレスまたは該メールアドレスを特定可能な情報と前記検査情報とを含んだ情報を、前記端末における所定の操作によりＨＴＴＰプロトコルにてデータを送信する機能領域を設けたＨＴＭＬ形式のメールを生成して前記端末に送信するとともに、前記メールアドレスと検査情報と送信先のＵＲＬ情報とを互いに対応づけて記憶し、
前記情報画面管理手段は、前記端末から送信されたＨＴＴＰプロトコルによるデータを受信し、受信したデータから前記メールアドレスまたは該メールアドレスを特定可能な情報及び検査情報を抽出し、受信したメールアドレスまたは該メールアドレスを特定可能な情報によって特定されるメールアドレスから前記ロジックに基づいて検査情報を生成し、生成した検査情報と受信した検査情報とを比較、または、受信した検査情報と受信したメールアドレスまたは該メールアドレスを特定可能な情報によって特定されるメールアドレスと対応づけて前記メール送信手段にて記憶された検査情報とを比較することにより、前記端末からのデータ送信を認証することを特徴とする。
【００１２】
上記のように構成された本発明においては、情報提供手段のメール送信手段から予め登録された端末に、提供される情報が掲載された電子メールが送信された後、該端末において、受信された電子メールに設けられた紹介指定領域が指定されると、情報提供手段の情報画面管理手段から、情報提供手段からの情報提供を紹介する未登録の端末に転送するために、未登録の端末に関する情報を入力するための端末情報入力領域が設けられた情報画面が送信される。この情報画面が送信された端末において、端末情報入力領域に転送先となる未登録の端末に関する情報が入力されると、メール送信手段において、端末情報入力領域に情報が入力された未登録の端末に対して、端末情報入力領域に情報を入力した端末を送信元とし、メール送信手段からの電子メールによる情報提供の許諾を指定するための許諾指定領域が設けられた電子メールが送信される。その後、許諾指定領域が設けられた電子メールが送信された未登録の端末において、許諾指定領域を用いて電子メールによる情報提供が許諾された場合に、情報提供手段の情報登録手段において、未登録の端末が、電子メールにより情報提供される端末として登録される。
【００１３】
このように、予め登録された端末に対して送信する電子メールを用いて、電子メールによる情報提供の許諾が取得されるので、電子メールによる情報提供の許諾を手間をかけずに取得することができる。
【００１４】
また、情報提供手段において、予め登録された第１の端末の電子メールアドレスから生成された第１の検査情報と、第１の端末の電子メールアドレスまたは該電子メールアドレスを特定可能な情報とを、第１の端末に送信する電子メールに含まれる紹介指定領域に埋め込んでおき、第１の端末における紹介指定領域の指定を、第１の検査情報と第１の電子メールアドレスとを用いて認証するようにすれば、第１の端末に送信された電子メールに含まれる紹介指定領域が指定された場合にのみ、情報提供手段からの情報提供を紹介する未登録の端末に関する情報を入力するための端末情報入力領域が設けられた情報画面が第１の端末に送信されることになる。
【００１５】
また、情報提供手段において、端末情報入力領域に情報が入力された第２の端末の電子メールアドレスから生成された第２の検査情報と、第２の端末の電子メールアドレスまたは該電子メールアドレスを特定可能な情報とを、許諾指定領域に埋め込んでおき、第２の端末における許諾指定領域の指定を、第２の検査情報と第２の端末の電子メールアドレスとを用いて認証するようにすれば、第２の端末に送信された電子メールに含まれる許諾指定領域が指定された場合にのみ、第２の端末に対する情報提供手段から電子メールを用いての情報提供の許諾についての指定が受け付けられることになる。
【発明の効果】
【００１６】
以上説明したように本発明においては、通信回線に接続可能な複数の端末と、通信回線に接続可能に構成され、複数の端末のうち予め登録された端末に対して電子メールにより情報提供を行う情報提供手段とを有し、情報提供手段から電子メールにより情報提供される端末を登録する情報提供登録システムにおいて、情報提供手段が、予め登録された端末に対して、提供される情報が掲載されるとともに、情報提供手段からの情報提供を未登録の端末に紹介する場合に指定する紹介指定領域が設けられた電子メールを作成、送信するメール送信手段と、端末にて紹介指定領域が指定された場合に、当該端末に対して、未登録の端末に関する情報を入力するための端末情報入力領域が設けられた情報画面を送信する情報画面管理手段とを有し、メール送信手段が、端末情報入力領域に情報が入力された未登録の端末に対して、端末情報入力領域に情報を入力した端末を送信元とし、当該メール送信手段からの電子メールによる情報提供の許諾を指定するための許諾指定領域が設けられた電子メールを送信し、未登録の端末にて許諾指定領域を用いて電子メールによる情報提供が許諾された場合に、該未登録の端末を、電子メールにより情報提供される端末として登録する情報登録手段を有する構成としたため、予め登録された端末からの紹介により、未登録の端末の電子メールアドレスを取得することができる。また、予め登録された端末が発信元として電子メールが送信されるので、「未承諾広告※」の表示が不要になると共に、未登録の端末の利用者は安心して電子メールを受信することができる。結果として、電子メールによる情報提供の許諾を手間をかけることなく取得し、許諾した端末を、電子メールにより情報提供される端末として登録することができる。
【００１７】
また、情報提供手段において、予め登録された第１の端末の電子メールアドレスから生成された第１の検査情報と、第１の端末の電子メールアドレスまたは該電子メールアドレスを特定可能な情報とを、第１の端末に送信する電子メールに含まれる紹介指定領域に埋め込んでおき、第１の端末における紹介指定領域の指定を、第１の検査情報と第１の電子メールアドレスとを用いて認証する構成としたものにおいては、未登録の端末の情報を受け付ける際に、悪意を持った人間による送信データの改竄を防止でき、情報提供手段から送信された電子メールの転送を、第１の端末における紹介指定領域の指定による場合のみに限定することができる。
【００１８】
また、情報提供手段が、端末情報入力領域に情報が入力された第２の端末の電子メールアドレスから生成された第２の検査情報と、第２の端末の電子メールアドレスまたは該電子メールアドレスを特定可能な情報とを、許諾指定領域に埋め込んでおき、第２の端末における許諾指定領域の指定を、第２の検査情報と第２の端末の電子メールアドレスとを用いて認証する構成としたものにおいては、情報の提供の許諾を受け付ける際に、悪意を持った人間による送信データの改竄を防止でき、第２の端末に対する情報提供手段から電子メールを用いての情報提供の許諾についての指定を、第２の端末における許諾指定領域の指定による場合のみに限定することができる。
【発明を実施するための最良の形態】
【００１９】
以下に、本発明の実施の形態について図面を参照して説明する。
【００２０】
図１は、本発明の情報提供登録システムの実施の一形態を示す図である。
【００２１】
本形態は図１に示すように、通信回線であるインターネット４０に接続可能な複数のユーザ端末１０−１〜１０−ｎと、インターネット４０に接続可能に構成され、複数のユーザ端末１０−１〜１０−ｎのうち予め登録されたユーザ端末に対して所定の情報が掲載された電子メールを送信するとともに、予め登録されたユーザ端末にて電子メールに掲載された情報の少なくとも一部の転送が指定された場合に、そのユーザ端末に対して、情報の転送先に関する情報を入力するための情報画面を送信し、また、その情報画面に転送先に関する情報が入力された場合に、電子メールに掲載された少なくとも一部の情報が掲載され、かつ、電子メールによる情報提供の許諾を指定するための領域が設けられた電子メールを、転送先に関する情報を入力したユーザ端末を送信元としてその提供先のユーザ端末に送信し、また、転送先のユーザ端末にて電子メールによる情報提供が許諾された場合に、転送先のユーザ端末を、電子メールにより情報提供される端末として登録する情報提供手段２０とから構成されている。また、情報提供手段２０は、複数のユーザ端末１０−１〜１０−ｎのうち予め登録されたユーザ端末に対して、所定の情報が掲載されるとともに、当該電子メールに掲載された情報のうち少なくとも一部を、複数のユーザ端末１０−１〜１０−ｎのうち未登録のユーザ端末に転送する場合や、情報提供手段２０からの情報提供を紹介する場合に指定する紹介指定領域が設けられた電子メールを作成、送信し、また、電子メールが送信されたユーザ端末にて電子メールに掲載された情報の少なくとも一部の転送が指定された場合に、指定された転送先のユーザ端末に対して、転送を指定したユーザ端末を送信元とし、転送を指定したユーザ端末に送信された電子メールに掲載された情報の少なくとも一部が掲載されるとともに、電子メールによる情報提供の許諾を指定するための許諾指定領域が設けられた電子メールを送信するメール送信部２１と、メール送信部２１から電子メールが送信されたユーザ端末にて転送指定領域が指定された場合に、そのユーザ端末に対して、転送先となる未登録のユーザ端末に関する情報を入力するための端末情報入力領域が設けられた情報画面を送信する情報画面管理部２２と、メール送信部２１から許諾指定領域が設けられた電子メールが送信されたユーザ端末にて許諾指定領域を用いて電子メールによる情報提供が許諾された場合に、この電子メールの送信元とされたユーザ端末にて端末情報入力領域に入力された情報を配信先情報データベース３０に登録することにより、このユーザ端末を、電子メールにより情報提供される端末として登録する情報登録部２３とから構成されている。
【００２２】
以下に、上記のように構成された情報提供登録システムにおける電子メールの転送によるユーザ端末の登録処理について、ユーザ端末１０−１が予め情報提供手段２０にて配信先情報データベース３０に登録された後、情報提供手段２０からユーザ端末１０−１に送信された電子メールをユーザ端末１０−２に転送することにより、ユーザ端末１０−２が配信先情報データベース３０に登録される場合の処理を例に挙げて説明する。
【００２３】
図２は、図１に示した情報提供登録システムにおけるユーザ端末の登録処理を説明するためのフローチャートである。
【００２４】
まず、配信先情報データベース３０に未登録のユーザ端末１０−１の利用者が、情報提供手段２０からの電子メールにより情報提供される端末として登録するために、情報提供手段２０のユーザ登録サイトにアクセスすると（ステップＳ１）、情報提供手段２０の情報画面管理部２２から、ユーザ端末１０−１に関する情報を入力するためのユーザ情報入力画面が送信される（ステップＳ２）。
【００２５】
情報提供手段２０の情報画面管理部２２から送信されたユーザ情報入力画面は、インターネット４０を介してユーザ端末１０−１にて受信、表示される（ステップＳ３）。なお、情報提供手段２０の情報画面管理部２２から送信され、ユーザ端末１０−１にて受信、表示されるユーザ情報入力画面には、ユーザ端末１０−１の電子メールアドレスや、ユーザ端末１０−１の利用者の氏名等が入力可能な領域と、情報提供手段２０からの電子メールによる情報提供の許諾を指定するための領域とが設けられている。
【００２６】
ユーザ端末１０−１の利用者が、ユーザ端末１０−１にて受信、表示されたユーザ情報入力画面に、ユーザ端末１０−１の電子メールアドレスや、ユーザ端末１０−１の利用者の氏名等、決められた情報を入力するとともに、情報提供手段２０からの電子メールによる情報提供の許諾を指定すると（ステップＳ４）、ユーザ端末１０−１から送信された情報はインターネット４０を介して情報提供手段２０にて受信され、情報提供手段２０の情報登録部２３において、ユーザ端末１０−１から送信されてきた情報が配信先情報データベース３０に登録される（ステップＳ５）。これにより、ユーザ端末１０−１が、情報提供手段２０からの電子メールにより情報提供される端末として登録される。
【００２７】
その後、情報提供手段２０において、電子メールにより情報提供される端末として登録されたユーザ端末１０−１に対して、広告メール等、電子メールによる情報提供を行う場合、情報提供手段２０のメール送信部２１において、提供される情報となる広告情報が掲載されるとともに、この広告メールに掲載された情報のうち少なくとも一部を、ユーザ端末１０−２〜１０−ｎのうち、情報提供手段２０からの電子メールにより情報提供される端末として未登録であるユーザ端末に転送する場合や、情報提供手段２０からの情報提供を紹介する場合に指定する紹介指定領域が設けられた広告メールが作成され、送信される（ステップＳ６）。また、この際、情報提供手段２０のメール送信部２１において、所定のロジックを用いて第１の端末となるユーザ端末１０−１の電子メールアドレスから第１の検査情報となるチェックコードが生成される。
【００２８】
情報提供手段２０のメール送信部２１から送信された広告メールは、インターネット４０を介してユーザ端末１０−１にて受信、表示される（ステップＳ７）。
【００２９】
図３は、図１に示したメール送信部２１から送信され、ユーザ端末１０−１にて受信、表示される広告メールの一例を示す図である。
【００３０】
図３に示すように、図１に示したメール送信部２１から送信され、ユーザ端末１０−１にて受信、表示される広告メールにおいては、広告情報１が掲載されるとともに、この広告情報１のうち少なくとも一部を、ユーザ端末１０−２〜１０−ｎのうち、情報提供手段２０からの電子メールにより情報提供される端末として未登録であるユーザ端末に転送する場合や、情報提供手段２０からの情報提供を紹介する場合に指定する紹介指定領域である転送指定領域２が設けられている。また、この広告メールの送信元としては、情報提供手段２０の電子メールアドレス“ａａａ＠ｂｂｂ．ｃｏ．ｊｐ”が設定され、宛先としては、ユーザ端末１０−１の電子メールアドレス“ｕｓｅｒ１０１＠ｘｘｘ．ｃｏ．ｊｐ”が設定されている。また、広告メールの送信元及び宛先として、電子メールアドレスではなく、情報提供手段２０の名称や、ユーザ端末１０−１の利用者の氏名等が設定されていることも考えられる。また、転送指定領域２においては、転送指定領域２を指定した場合にアクセスされる情報画面管理部２２のＵＲＬと、ユーザ端末１０−１の電子メールアドレスと、ユーザ端末１０−１の電子メールアドレスから生成されたチェックコードとからなるアクセス情報が埋め込まれている。具体的には、ＨＴＭＬ形式の電子メールであり、例えば、転送指定領域２をクリックする等の所定の操作により、少なくとも情報画面管理部２２のＵＲＬと電子メールアドレスとチェックコードを含んだ送信電文を、ＨＴＴＰプロトコルにより送信する機能を設けたものである。送信電文としては、例えば、「“情報画面管理部２２のＵＲＬ”／“電子メールアドレス”／“チェックコード”」のように編集したものがＨＴＴＰプロトコルにより送信されることとなる。なお、この「“情報画面管理部２２のＵＲＬ”／“電子メールアドレス”／“チェックコード”」は、メール送信部２１にて記憶される。
【００３１】
図３に示したような広告メールがユーザ端末１０−１に表示された後、ユーザ端末１０−１の利用者が、この広告情報１のうち少なくとも一部を、ユーザ端末１０−２〜１０−ｎのうち、情報提供手段２０からの電子メールにより情報提供される端末として未登録であるユーザ端末１０−２に転送するために（ステップＳ８）、転送指定領域２をクリックする等によって指定すると（ステップＳ９）、ユーザ端末１０−１のブラウザが起動するとともに、転送指定領域２に埋め込まれた、端末情報入力画面のＵＲＬと、ユーザ端末１０−１の電子メールアドレスと、ユーザ端末１０−１の電子メールアドレスから生成されたチェックコードとからなるアクセス情報によってアクセスされる端末情報入力画面が情報提供手段２０の情報画面管理部２２から送信され（ステップＳ１０）、ユーザ端末１０−１にて受信、表示される（ステップＳ１１）。この際、情報提供手段２０においては、端末情報入力画面へのアクセス情報に含まれるユーザ端末１０−１の電子メールアドレスから、ユーザ端末１０−１に広告メールを送信した際にチェックコードの生成に用いたロジックを用いてチェックコードが生成され、生成されたチェックコードとアクセス情報に含まれたチェックコードとが照合され、両者が一致した場合、端末情報入力画面へのアクセスが、転送指定領域２が指定されることによって行われたことが認証され、転送指定領域２に埋め込まれた、端末情報入力画面のＵＲＬと、ユーザ端末１０−１の電子メールアドレスと、ユーザ端末１０−１の電子メールアドレスから生成されたチェックコードとからなるアクセス情報によってアクセスされる端末情報入力画面が情報提供手段２０の情報画面管理部２２から送信され、ユーザ端末１０−１にて受信、表示されることになる。ここで、任意のユーザ端末にてブラウザを起動させ、端末情報入力画面のＵＲＬと、任意のユーザ端末の電子メールアドレスのみをアクセス情報として入力した場合は、チェックコードが含まれていないため、端末情報入力画面にアクセスすることはできない。また、任意のユーザ端末の電子メールアドレスとチェックコードを入力した場合においても、入力された電子メールアドレスから所定のロジックを用いて生成されるチェックコードは、入力されたチェックコードと異なるものとなるため、端末情報入力画面にアクセスすることはできない。このように、ユーザ端末１０−１の電子メールアドレスと、この電子メールアドレスから生成されたチェックコードとによって、ユーザ端末１０−１にて、ユーザ端末１０−１に送信された電子メールに設けられた転送指定領域２が指定されたことが認証されるので、悪意で、端末情報入力画面のＵＲＬと、任意のユーザ端末の電子メールアドレスをアクセス情報として入力した場合、端末情報入力画面へのアクセスを拒否することができる。なお、本形態においては、端末情報入力画面のＵＲＬと、ユーザ端末１０−１の電子メールアドレスと、ユーザ端末１０−１の電子メールアドレスから生成されたチェックコードとからなるアクセス情報を転送指定領域２に埋め込んでおき、端末情報入力画面にアクセスが行われた場合に、アクセス情報に含まれるユーザ端末１０−１の電子メールアドレスとチェックコードとを用いて認証を行っているが、ユーザ端末１０−１の電子メールアドレスの代わりに、ステップＳ５にてユーザ端末１０−１に関する情報が配信先情報データベース３０に登録された際にユーザ端末１０−１に付与された管理番号等、ユーザ端末１０−１を識別可能な識別情報を転送指定領域２に埋め込んでおき、この識別情報とチェックコードとを用いて認証を行うことも考えられる。ただしその場合、情報提供手段２０においては、端末情報入力画面にアクセスが行われた場合に、アクセス情報に含まれる識別情報によって特定される電子メールアドレスを配信先情報データベース３０から検索し、この電子メールアドレスからチェックコードを生成し、生成されたチェックコードとアクセス情報に含まれるチェックコードとを照合することにより認証を行うことになる。
【００３２】
図４は、図１に示した情報画面管理部２２から送信され、ユーザ端末１０−１にて受信、表示される端末情報入力画面の一例を示す図である。
【００３３】
図４に示すように、図１に示した情報画面管理部２２から送信され、ユーザ端末１０−１にて受信、表示される端末情報入力画面においては、ユーザ端末１０−１の電子メールアドレス“ｕｓｅｒ１０１＠ｘｘｘ．ｃｏ．ｊｐ”が送信元情報３として掲載されているとともに、広告情報１（図３参照）の転送先となるユーザ端末１０−２の電子メールアドレスやユーザ端末１０−２の利用者名等を入力するための端末情報入力領域４と、電子メールの転送を指定するための転送ボタン７とが設けられている。また、ユーザ端末１０−２に転送する電子メールの件名を入力するための件名情報入力領域５や、ユーザ端末１０−２の利用者に対するメッセージを入力するためのメッセージ入力領域６が設けられている。なお、件名情報入力領域５においては、端末情報入力画面が情報画面管理部２２から送信された時点で、広告情報１（図３参照）に対応する件名がデフォルトとして設定されているが、ユーザ端末１０−１に表示された時点で変更することが可能である。また、転送ボタン７においては、転送ボタン７を押下した場合にアクセスされる領域のＵＲＬと、ユーザ端末１０−１の電子メールアドレスと、ユーザ端末１０−１の電子メールアドレスから生成されたチェックコードとからなるアクセス情報が埋め込まれている。
【００３４】
ユーザ端末１０−１の利用者が、図４に示したような端末情報入力画面に対して、広告情報１（図３参照）の転送先となるユーザ端末１０−２の電子メールアドレスやユーザ端末１０−２の利用者名等を端末情報入力領域４に入力し、転送ボタン７を押下すると（ステップＳ１２）、端末情報入力画面に対して入力された情報が、ユーザ端末１０−１から送信され、情報提供手段２０の情報画面管理部２２にて受信される（ステップＳ１３）。
【００３５】
すると、情報提供手段２０の情報画面管理部２２において、まず、転送ボタン７に埋め込まれた、ＵＲＬと、ユーザ端末１０−１の電子メールアドレスと、ユーザ端末１０−１の電子メールアドレスから生成されたチェックコードが確認され、全ての情報が含まれている場合であって、かつ、チェックコードがユーザ端末１０−１の電子メールアドレスから所定のロジックを用いて生成されたものである場合に、情報提供手段２０のメール送信部２１において、端末情報入力画面にて指定された情報に基づいて電子メールが作成される。ここで、チェックコードの確認においては、転送ボタン７に埋め込まれた電子メールアドレスから所定のロジックを用いてチェックコードを生成し、この生成されたチェックコードと転送ボタン７に埋め込まれたチェックコードとを比較することや、転送ボタン７に埋め込まれたチェックコードとメール送信部２１に記憶されたチェックコードとを比較すること等により行う。メール送信部２１においては、まず、電子メールの送信元としては、ユーザ端末１０−１が設定され、電子メールの送信先としては、ユーザ端末１０−２が設定され、ユーザ端末１０−１に送信された電子メールに掲載された広告情報１（図３参照）が掲載される。なお、ステップＳ９において、ユーザ端末１０−１のユーザが、情報提供手段２０から送信され、ユーザ端末１０−１にて受信、表示された電子メールに掲載された広告情報１（図３参照）のうち、一部のみをユーザ端末１０−２に転送することが指定された場合は、指定された情報のみが掲載されることになる。また、この際、情報提供手段２０において、所定のロジックを用いて第２の端末となるユーザ端末１０−２の電子メールアドレスから第２の検査情報となるチェックコードが生成される。メール送信部２１にて作成された電子メールがメール送信部２１から送信されると（ステップＳ１４）、メール送信部２１から送信された電子メールはユーザ端末１０−２にて受信され、表示される（ステップＳ１５）。
【００３６】
図５は、図１に示したメール送信部２１から送信され、転送先となるユーザ端末１０−２にて受信、表示される広告メールの一例を示す図である。
【００３７】
図５に示すように、図１に示したメール送信部２１から送信され、ユーザ端末１０−２にて受信、表示される広告メールにおいては、ユーザ端末１０−１に表示されたものと同様の広告情報１が掲載されるとともに、この広告メールのように、情報提供手段２０からの電子メールによる情報提供の許諾を指定するための許諾指定領域８が設けられており、許諾指定領域８には、許諾指定領域８における指定を登録するための登録ボタン９が設けられている。なお、広告情報１は、ユーザ端末１０−１に対して送信したものと全く同じものである必要はなく、同等の情報であればよい。また、この広告メールの送信元としては、ユーザ端末１０−１の電子メールアドレス“ｕｓｅｒ１０１＠ｘｘｘ．ｃｏ．ｊｐ”が設定され、宛先としては、ユーザ端末１０−２の電子メールアドレス“ｕｓｅｒ１０２＠ｘｘｘ．ｃｏ．ｊｐ”が設定されている。また、広告メールの送信元及び宛先として、電子メールアドレスではなく、ユーザ端末１０−１，１０−２の利用者の氏名等が設定されていることも考えられる。また、登録ボタン９においては、登録ボタン９を押下した場合にアクセスされる情報画面管理部２２のＵＲＬと、ユーザ端末１０−２の電子メールアドレスと、ユーザ端末１０−２の電子メールアドレスから生成されたチェックコードとからなるアクセス情報が埋め込まれている。具体的には、ＨＴＭＬ形式の電子メールであり、例えば、登録ボタン９をクリックする等の所定の操作により、少なくとも情報画面管理部２２のＵＲＬとユーザ端末１０−２の電子メールアドレスとチェックコードを含んだ送信電文を、ＨＴＴＰプロトコルにより送信する機能を設けたものである。なお、情報画面管理部２２のＵＲＬと、ユーザ端末１０−２の電子メールアドレスと、ユーザ端末１０−２の電子メールアドレスから生成されたチェックコードは、メール送信部２１にて互いに対応づけられて記憶される。
【００３８】
その後、ユーザ端末１０−２の利用者が、情報提供手段２０から送信されてきた広告メールのように、情報提供手段２０からの電子メールによる情報提供を許諾する場合に（ステップＳ１６）、電子メールに設けられた許諾指定領域８において、情報提供手段２０からの電子メールによる情報提供を許諾する旨を指定して登録ボタン９を押下すると（ステップＳ１７）、送信電文として、例えば「“情報画面管理部２２のＵＲＬ”／“ｕｓｅｒ１０２＠ｘｘｘ．ｃｏ．ｊｐ”／“チェックコード”」のように編集されたものがＨＴＴＰプロトコルにより送信されることとなる。情報提供手段２０において、まず、登録ボタン９に埋め込まれた、ＵＲＬと、ユーザ端末１０−２の電子メールアドレスと、ユーザ端末１０−１の電子メールアドレスから生成されたチェックコードが確認され、全ての情報が含まれている場合であって、かつ、チェックコードがユーザ端末１０−２の電子メールアドレスから所定のロジックを用いて生成されたものである場合に、情報提供手段２０の情報登録部２３において、ステップＳ１３にてユーザ端末１０−１から受信されたユーザ端末１０−２に関する情報が配信先情報データベース３０に登録され（ステップＳ１８）、それにより、ユーザ端末１０−２が、情報配信部３０から電子メールによる情報提供を受ける端末として登録される。なお、チェックコードの確認においては、登録ボタン９に埋め込まれた電子メールアドレスから所定のロジックを用いてチェックコードを生成し、この生成されたチェックコードと登録ボタン９に埋め込まれたチェックコードとを比較することや、登録ボタン９に埋め込まれたチェックコードとメール送信部２１に記憶されたチェックコードとを比較すること等により行う。このように、ユーザ端末１０−２の電子メールアドレスと、この電子メールアドレスから生成されたチェックコードとによって、ユーザ端末１０−２にて、ユーザ端末１０−２に送信された電子メールに設けられた許諾指定領域８にて電子メールによる情報提供の許諾が指定されたことが認証されるので、任意のユーザ端末にてブラウザを起動させ、情報提供手段２０から電子メールによる情報提供を許諾するためのＵＲＬと、任意のユーザ端末の電子メールアドレスのみをアクセス情報として入力した場合において、許諾が登録されてしまうことを防止することができる。また、任意のユーザ端末の電子メールアドレスとチェックコードを入力した場合においても、入力された電子メールアドレスから所定のロジックを用いて生成されるチェックコードは、入力されたチェックコードと異なるものとなるため、許諾が登録されてしまうことを防止することができる。なお、本形態においては、登録ボタン９を押下した場合にアクセスされる領域のＵＲＬと、ユーザ端末１０−２の電子メールアドレスと、ユーザ端末１０−２の電子メールアドレスから生成されたチェックコードとからなるアクセス情報を登録ボタン９に埋め込んでおき、登録ボタン９が押下された場合に、ユーザ端末１０−２の電子メールアドレスとチェックコードとを用いて認証を行っているが、ステップＳ１３にて転送先情報が受信された際に、ユーザ端末１０−２の電子メールアドレスを特定可能な情報を設定しておき、ユーザ端末１０−２の電子メールアドレスの代わりにその情報を登録ボタン９に埋め込んでおき、この情報とチェックコードとを用いて認証を行うことも考えられる。ただしその場合、情報提供手段２０においては、入力された情報によって特定される電子メールアドレスを配信先情報データベース３０から検索し、この電子メールアドレスからチェックコードを生成し、生成されたチェックコードと入力されたチェックコードとを照合することにより認証を行うことになる。
【００３９】
また、ユーザ端末１０−２に送信された電子メールに設けられた登録ボタン９が押下されると、ユーザ端末１０−２のブラウザが起動するとともに、ユーザ端末１０−２が、情報提供手段２から電子メールによる情報提供を受ける端末として登録された旨が掲載された情報画面が、情報画面管理部２２から送信され、ユーザ端末１０−２にて受信、表示される。なお、このユーザ端末１０−２に表示される情報画面は、そのアクセス情報が、ステップＳ１５にてユーザ端末１０−２に表示された電子メールに設けられた登録ボタン９（図５参照）に埋め込まれた、ＵＲＬ、ユーザ端末１０−２の電子メールアドレス及びチェックコードから構成されており、それにより、ステップＳ１５にてユーザ端末１０−２に表示された電子メールに設けられた許諾指定領域８（図５参照）にて許諾が指定され、登録ボタン９（図５参照）が押下された場合にのみ、ユーザ端末１０−２が、情報提供手段２から電子メールによる情報提供を受ける端末として登録された旨が掲載された情報画面が、情報画面管理部２２から送信され、ユーザ端末１０−２にて受信、表示されることになる。
【００４０】
一方、ユーザ端末１０−２の利用者が、情報提供手段２０から送信されてきた広告メールのように、情報提供手段２０からの電子メールによる情報提供を許諾しない場合に、電子メールに設けられた許諾指定領域８において、情報提供手段２０からの電子メールによる情報提供を許諾しない旨を指定して登録ボタン９を押下すると（ステップＳ１９）、ユーザ端末１０−２の利用者が、情報提供手段２０から電子メールによる情報提供を許諾しない旨が情報提供手段２０に通知される（ステップＳ２０）。
【００４１】
なお、本形態においては、予め登録されたユーザ端末に対する電子メールの送信と、未登録のユーザ端末に対する電子メールの転送とを、情報提供手段２０内のメール送信部２１にて行っているが、これらの電子メールの送信を互いに異なる手段から行うことも考えられる。
【００４２】
また、本形態においては、情報提供手段２０からユーザ端末１０−１に送信された電子メールの一部を未登録のユーザ端末１０−２に転送する場合を例に挙げて説明したが、ステップＳ６にて情報提供手段２０からユーザ端末１０−１に送信された電子メールに含まれる転送指定領域２が押下され、その後、ステップＳ１０にて情報提供手段２０からユーザ端末１０−１に送信された転送先情報入力画面にユーザ端末１０−２に関する情報が入力された場合に、情報提供手段２０からユーザ端末１０−１に送信された電子メールに掲載された情報とは異なる内容の情報がユーザ端末１０−１に提供される構成とすることも考えられる。
【００４３】
また、本形態のように、情報提供手段２０からのユーザ端末１０−１〜１０−ｎへの情報提供を行わず、メール送信部２１にて上述したようなＨＴＴＰプロトコルにてデータを送信する機能領域を設けたＨＴＭＬ形式の電子メールを送信し、この電子メールを用いたユーザ端末１０−１〜１０−ｎからのデータ送信を情報画面管理部２２にて認証する認証システムとしても利用することができる。
【図面の簡単な説明】
【００４４】
【図１】本発明の情報提供登録システムの実施の一形態を示す図である。
【図２】図１に示した情報提供登録システムにおけるユーザ端末の登録処理を説明するためのフローチャートである。
【図３】図１に示したメール送信部から送信され、ユーザ端末にて受信、表示される広告メールの一例を示す図である。
【図４】図１に示した情報画面管理部から送信され、ユーザ端末にて受信、表示される端末情報入力画面の一例を示す図である。
【図５】図１に示したメール送信部から送信され、転送先となるユーザ端末にて受信、表示される広告メールの一例を示す図である。
【符号の説明】
【００４５】
１    広告情報
２    転送指定領域
３    送信元情報
４    端末情報入力領域
５    件名情報入力領域
６    メッセージ情報入力領域
７    転送ボタン
８    許諾指定領域
９    登録ボタン
１０−１〜１０−ｎ    ユーザ端末
２０    情報提供手段
２１    メール送信部
２２    情報画面管理部
２３    情報登録部
３０    配信先情報データベース
４０    インターネット                                                                              
【図１】
2005050277.tif 000003
【図２】
2005050277.tif 000004
【図３】
2005050277.tif 000005
【図４】
2005050277.tif 000006
【図５】
2005050277.tif 000007